(57)【要約】【課題】視覚的な効果がより高い展示方法を提供する。【解決手段】ウインドウを介して展示物を展示する展示方法であって、展示物を設置する段階と、一対の視差画像の一方を一の偏光状態で生成し、他方を一の偏光状態と直交する他の偏光状態で生成する視差画像生成部を、展示物よりもウインドウから遠い位置に設置する段階と、ウインドウに、一の偏光状態を透過させて他の偏光状態を遮断する一の偏光領域、および、他の偏光状態を透過させて一の偏光状態を遮断する他の偏光領域を有する偏光部材を配する段階とを備える展示方法が提供される。【選択図】図１
2010266686.tif 000002
【特許請求の範囲】
【請求項１】
ウインドウを介して展示物を展示する展示方法であって、
前記展示物を設置する段階と、
一対の視差画像の一方を一の偏光状態で生成し、他方を前記一の偏光状態と直交する他の偏光状態で生成する視差画像生成部を、前記展示物よりも前記ウインドウから遠い位置に設置する段階と、
前記ウインドウに、前記一の偏光状態を透過させて前記他の偏光状態を遮断する一の偏光領域、および、前記他の偏光状態を透過させて前記一の偏光状態を遮断する他の偏光領域を有する偏光部材を配する段階と
を備える展示方法。
【請求項２】
少なくとも特定の位置において、観察者の左右の目の一方に前記一方の視差画像および前記展示物が前記一の偏光領域を透過して観察されるとともに、前記左右の目の他方に前記他方の視差画像および前記展示物が前記他の偏光領域を透過して観察される位置に、前記展示物、前記視差画像生成部および前記偏光部材が配される請求項１に記載の展示方法。
【請求項３】
前記視差画像生成部の前記一対の視差画像を動的に切り換える段階をさらに備える請求項１または２に記載の展示方法。
【請求項４】
前記一の偏光状態および前記他の偏光状態は、互いに反対回りの円偏光であり、前記一の偏光領域および前記他の偏光領域は、互いに反対回りの円偏光板である請求項１から３のいずれかに記載の展示方法。
【請求項５】
前記偏光部材における前記一の偏光領域の面積は、前記他の偏光領域の面積より大きい請求項１から４のいずれかに記載の展示方法。
【請求項６】
前記展示物に照明をあてる段階をさらに備え、前記照明をあてる段階は、前記展示物の明るさを、前記視差画像生成部により生成される前記一対の視差画像と同程度の明るさにする請求項１から５のいずれかに記載の展示方法。
【発明の詳細な説明】
【技術分野】
【０００１】
本発明は、ウインドウを介して展示物を展示する展示方法に関する。
【背景技術】
【０００２】
従来、商品のサンプル等の実体的な展示物とその前面に導光板とを設け、文字等を導光板に表示することで、展示物と文字等を重ねて表示する展示方法が知られている（例えば、特許文献１を参照）。
【先行技術文献】
【特許文献】
【０００３】
【特許文献１】特開２００３−３３０３９５号公報
【発明の概要】
【発明が解決しようとする課題】
【０００４】
しかしながら、この方法によれば文字等の簡単なパターンしか表示できないので、展示物を強く印象付けるのに十分とはいえなかった。
【課題を解決するための手段】
【０００５】
上記課題を解決するために、本発明の第１の態様においては、ウインドウを介して展示物を展示する展示方法であって、展示物を設置する段階と、一対の視差画像の一方を一の偏光状態で生成し、他方を一の偏光状態と直交する他の偏光状態で生成する視差画像生成部を、展示物よりもウインドウから遠い位置に設置する段階と、ウインドウに、一の偏光状態を透過させて他の偏光状態を遮断する一の偏光領域、および、他の偏光状態を透過させて一の偏光状態を遮断する他の偏光領域を有する偏光部材を配する段階とを備える展示方法が提供される。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】本実施形態の展示方法に用いられる展示システム１０の概略を示す。
【図２】視差画像生成部１００の分解斜視図である。
【図３】偏光部材３２０の一例を示す。
【図４】本実施形態の展示方法による見え方を説明する概略図である。
【図５】本実施形態の展示方法による他の見え方を説明する概略図である。
【図６】他の偏光部材３４０の例を示す。
【図７】視差画像生成部１０１の分解斜視図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、本実施形態の展示方法に用いられる展示システム１０の概略を示す。展示システム１０は、展示物２００を立体的な画像と重なるように展示することにより、観察者に対して視覚的な効果をもたらして展示物２００を強く印象付けることを目的とする。
【００１０】
展示システム１０は、ウインドウ３００と、ウインドウ３００の内側に配された展示物２００と、展示物２００よりもウインドウ３００から遠い位置に配された視差画像生成部１００とを備える。展示システム１０はさらに、展示物２００を載置する展示台２１０と、展示物２００を照明する照明部２２０を備えてもよい。
【００１１】
展示物２００が商品である場合に、例えばウインドウ３００は店舗のショーウインドウである。また、展示物２００が美術品である場合に、ウインドウ３００は美術館または博物館の展示用のウインドウである。その他、展示物２００が自動販売機におけるサンプルであってウインドウ３００が当該サンプルの前面に配されたウインドウ等であってもよい。ウインドウ３００は、ウインドウガラス３１０および当該ウインドウガラス３１０に配された偏光部材３２０を有する。ここで、偏光部材３２０をウインドウガラス３１０に配する方法として、ウインドウガラス３１０とは別体の偏光部材３２０が当該ウインドウガラス３１０に貼り付けられてもよいし、ウインドウガラス３１０自体が偏光部材３２０で形成されてもよい。
【００１２】
図２は、視差画像生成部１００の分解斜視図である。図２に示すように、視差画像生成部１００は、光源１２０と、偏光板１５０と、画像生成部１６０と、偏光板１７０と、偏光軸制御板１８０とをこの順で備え、これらが筐体に収容されている。図２における偏光軸制御板１８０よりも右側に展示物２００およびウインドウ３００が配され、観察者はウインドウ３００の右側から観察する。すなわち、視差画像生成部１００は展示物２００よりもウインドウ３００から遠い位置に設置される。
【００１３】
光源１２０は、観察者から見て視差画像生成部１００の最も奥側に配され、展示システム１０の一部として視差画像生成部１００を使用している状態（以下、「視差画像生成部１００の使用状態」と略称する）において、白色の無偏光を偏光板１５０の一面に向けて出射する。なお、本実施形態では、光源１２０に面光源を用いているが、面光源に替えて例えば点光源と集光レンズとの組み合わせでもよい。この集光レンズの一例は、フレネルレンズシートである。
【００１４】
偏光板１５０は、画像生成部１６０における光源１２０側に配される。偏光板１５０は、透過軸および当該透過軸に直交する吸収軸を有し、光源１２０から出射した無偏光が入射すると、その無偏光のうち透過軸方向と平行な偏光軸の光を透過し、吸収軸方向と平行な偏光軸の光を遮断する。ここで、偏光軸の方向とは、光における電界の振動方向のことであり、偏光板１５０における透過軸の方向は、図２に矢印で示すように、観察者が視差画像生成部１００を見たときの水平方向から右上４５度の方向である。
【００１５】
画像生成部１６０は、一対の視差画像の一方である右画像を生成する右画像生成領域１６２、および、一対の視差画像の他方である左画像を生成する左画像生成領域１６４を有する。これら右画像生成領域１６２および左画像生成領域１６４は、図２に示すように、画像生成部１６０を水平方向に区切った領域であり、複数の右画像生成領域１６２および左画像生成領域１６４が鉛直方向に互い違いに配されている。視差画像生成部１００の使用状態において、画像生成部１６０の右画像生成領域１６２および左画像生成領域１６４には、それぞれ右画像および左画像が生成される。このときに偏光板１５０を透過した光が画像生成部１６０の右画像生成領域１６２および左画像生成領域１６４に入射すると、右画像生成領域１６２の透過光は右画像の画像光（以下、「右画像光」と略称する）となり、左画像生成領域１６４の透過光は左画像の画像光（以下、「左画像光」と略称する）となる。なお、右画像生成領域１６２を透過した右画像光および左画像生成領域１６４を透過した左画像光は、それぞれ特定方向の偏光軸を有する直線偏光である。ここで、それぞれ特定方向の偏光軸とは、互いに同じ方向であってもよく、図２に示す例においては、ともに偏光軸が後述する偏光板１７０における透過軸の方向と同じ方向である。
【００１６】
画像生成部１６０には、例えば水平方向及び垂直方向に二次元的に複数の小さなセルが配され、各セルにおいて配向膜間に液晶を封止したＬＣＤ（液晶ディスプレイ）が用いられる。このＬＣＤにおいて各セルを電気的に駆動することにより、各セルは、通過する光をその偏光軸の方向を変えずに透過する状態と、偏光軸の方向を９０度回転させて透過する状態とを切り替える。これにより、視差画像生成部１００は一対の視差画像を動的に切り換えた、いわゆる動画を表示する。
【００１７】
偏光板１７０は、画像生成部１６０における観察者側に配される。この偏光板１７０は、上記右画像生成領域１６２を透過した右画像光、および、上記左画像生成領域１６４を透過した左画像光が入射すると、これらのうち偏光軸が透過軸と平行な光を透過し、偏光軸が吸収軸と平行な光を遮断する。ここで、偏光板１７０における透過軸の方向は、図２に矢印で示すように、観察者が視差画像生成部１００を見たときの水平方向から左上４５度の方向である。
【００１８】
偏光軸制御板１８０は、第一偏光領域１８１および第二偏光領域１８２を有する。この偏光軸制御板１８０における第一偏光領域１８１および第二偏光領域１８２の位置および大きさは、図２に示すように、画像生成部１６０の右画像生成領域１６２および左画像生成領域１６４の位置および大きさに対応している。したがって、視差画像生成部１００の使用状態において、第一偏光領域１８１には、上記右画像生成領域１６２を透過した右画像光が入射し、第二偏光領域１８２には、上記左画像生成領域１６４を透過した左画像光が入射する。
【００１９】
第一偏光領域１８１は、入射した右画像光の偏光軸を回転させずにそのまま透過する。また、第二偏光領域１８２は、入射した左画像光の偏光軸を第一偏光領域１８１に入射した右画像光の偏光軸に対して直交する方向に回転させる。したがって、第一偏光領域１８１を透過した右画像光の偏光軸と、第二偏光領域１８２を透過した左画像光の偏光軸とは、図２に矢印で示すように、その方向が互いに直交する。なお、図２の偏光軸制御板１８０における矢印は、偏光軸制御板１８０を通過した偏光の偏光軸を示している。第一偏光領域１８１には、例えば透明なガラスまたは樹脂などが用いられ、第二偏光領域１８２には、例えば入射される左画像光の偏光軸の方向に対して４５度の角度の光学軸を有する半波長板が用いられる。図２に示す例において、第二偏光領域１８２の光学軸の方向は、水平方向または鉛直方向である。ここで、光学軸とは、光が第二偏光領域１８２を透過するときの進相軸または遅相軸の一方を指す。
【００２０】
また、上記視差画像生成部１００は、偏光軸制御板１８０よりも観察者側（図２における偏光軸制御板１８０の右側）に、上記偏光軸制御板１８０の第一偏光領域１８１および第二偏光領域１８２を透過した右画像光および左画像光を水平方向または鉛直方向の少なくとも一方の方向に拡散する拡散板を有してもよい。このような拡散板には、例えば水平方向または鉛直方向に延伸するかまぼこ状の凸レンズ（シリンドリカルレンズ）が複数配されたレンチキュラーレンズシート、または、凸レンズが平面状に複数配されたレンズアレイシートが用いられる。
【００２１】
図３は、偏光部材３２０の一例を示す。図３の偏光部材３２０は、観察者からみて右側に第一偏光領域３２１が配されるとともに左側に第二偏光領域３２３が配される。第一偏光領域３２１は、透過軸方向が第一偏光領域１８１を透過した右画像光と同じ方向であり、吸収軸方向が上記透過軸方向と直交する方向である。第二偏光領域３２３は、透過軸方向が第二偏光領域１８２を透過した左画像光と同じ方向であり、吸収軸方向が上記透過軸方向と直交する方向である。これら第一偏光領域３２１および第二偏光領域３２３は、例えば二色性染料を含浸させたフィルムを一軸延伸して得られる偏光膜が用いられる。
【００２２】
これにより、観察者の右目が第一偏光領域３２１を見るとともに左目が第二偏光領域３２３を見るような位置に観察者が立つことにより、第一偏光領域３２１を透過して観察者の右目に右画像が観察されるとともに、第二偏光領域３２３を透過して観察者の左目に左画像が観察される。よって、視差画像生成部１００の使用状態において、観察者は視差画像生成部１００により生成された一対の視差画像を立体的な画像として認識することができる。
【００２３】
図４は、本実施形態の展示方法による見え方を説明する概略図である。図４において、観察者は、右目が第一偏光領域３２１を見るとともに左目が第二偏光領域３２３を見るような位置に立っているとする。この位置において、観察者の右目に右画像および展示物２００が観察されるとともに、左目に左画像および展示物２００が観察される。展示物２００は現実の物体であるが、観察者にはこの現実の物体と立体的な画像２０２とが同時に見えるので、全体として展示物２００と画像２０２とが空間内に存在しているような視覚的効果を与えることができる。例えば、図４に示す例で展示物２００がワイングラスであり、立体的な画像２０２がレストランのテーブルに置かれたワインボトルである場合に、観察者はあたかもレストランのテーブルにワイングラスとワインボトルとの両方が置かれているような画像を見ることができる。展示物２００を立体的な画像２０２と重なるように展示することにより、観察者に対して視覚的な効果をもたらして展示物２００を強く印象付けることができる。さらに、視差画像生成部１００が画像を動的に切り換えることができる場合には、立体的な画像２０２をワインボトルから料理の皿等に変えることにより、展示物２００であるワイングラスの置かれている状況を変えて観察者に展示することができる。
【００２４】
以上、本実施形態の展示方法によれば、展示物２００をウインドウ３００の奥側に設置し、視差画像生成部１００を、展示物２００よりもウインドウ３００から遠い位置に設置し、ウインドウ３００に偏光部材３２０を取り付けて、視差画像生成部１００に視差画像を表示する。これにより、全体として展示物２００と画像２０２による立体像とが空間内に存在しているような視覚的効果を与えることができる。
【００２５】
さらに、展示物２００に照明部２２０により照明をあてる場合に、展示物２００の明るさを、視差画像生成部１００により生成される一対の視差画像と同程度の明るさにする。この場合に、照明部２２０による照明の明るさは、展示者が視覚的に確認しながら調整しても良いし、視差画像生成部１００の明るさを検知して自動的に調整してもよい。これにより、視差画像生成部１００が偏光を利用することにより光量が落ちることを考慮して展示物２００へも光量を落とした照明をあてて、違和感のない視覚的効果を得ることができる。
【００２６】
図５は、本実施形態の展示方法による他の見え方を説明する概略図である。図５において、観察者は、右目が第一偏光領域３２１を見るとともに左目が第二偏光領域３２３を見るような位置に立っているとする。図５に示す例においては、立体的な画像２０６は展示物２０４の画像である。これにより、視差画像生成部１００の使用状態において、観察者には展示物２０４が複数個配列されているかのような視覚的な効果を与えることができる。さらに、視差画像生成部１００の立体的な画像２０６の表示を停止する、例えば、ベタの単一色を表示することにより、立体的な画像２０６に埋没していた展示物２０４だけを観察者に展示ことができる。
【００２７】
図６は、他の偏光部材３４０の例を示す。偏光部材３４０における第一偏光領域３４１の面積は、第二偏光領域３４３の面積よりも大きい。より具体的には、第二偏光領域３４３は離散的に数箇所配されており、それ以外は第一偏光領域３４１が配される。第二偏光領域３４３は例えば平均的な身長の大人の顔の高さおよび子供の顔の高さにそれぞれ配されてもよい。これにより、第一偏光領域３４１が右目の視野に入るとともに第二偏光領域３４３が左目の視野に入る特定の位置において、図４および図５のような視覚的効果を与えることができる。さらに、特定の位置以外の位置において、観察者には一対の視差画像のうちの右画像が両目で観察される。よって、一対の視差画像の両方を両目で観察した場合に生じるぼやけた画像が観察されることを防ぐことができる。なお、第一偏光領域３４１と第二偏光領域３４３との面積及び配置等は図６と逆であってもよい。また、偏光部材３４０の配置は、上下に長い第一偏光領域３４１と第二偏光領域３４３とが左右に複数配列された短冊状であってもよい。
【００２８】
図７は、図２に示す視差画像生成部１００に替えて展示システム１０に用いることのできる視差画像生成部１０１の分解斜視図である。図７に示す視差画像生成部１０１において、図２の視差画像生成部１００と同じ構成については同じ参照番号を付して説明を省略する。図７に示すように、視差画像生成部１０１は、視差画像生成部１００の偏光軸制御板１８０に替えて偏光軸制御板１８５を備える。この偏光軸制御板１８５は、第一偏光領域１８６および第二偏光領域１８７を有する。ここで、第一偏光領域１８６および第二偏光領域１８７は、ともに１／４波長板であり、それぞれの光学軸が互いに直交する。この偏光軸制御板１８５における第一偏光領域１８６および第二偏光領域１８７の位置および大きさは、上記偏光軸制御板１８０における第一偏光領域１８１および第二偏光領域１８２の位置および大きさと同様に、画像生成部１６０の右画像生成領域１６２および左画像生成領域１６４の位置および大きさに対応している。したがって、視差画像生成部１０１の使用状態において、第一偏光領域１８６には、上記右画像生成領域１６２を透過した右画像光が入射し、第二偏光領域１８７には、上記左画像生成領域１６４を透過した左画像光が入射する。
【００２９】
図７に示す偏光軸制御板１８５は、入射した光を偏光軸の回転方向が互いに逆方向である円偏光として出射する。例えば、第一偏光領域１８６は入射した光を右回りの円偏光として出射し、第二偏光領域１８７は入射した光を左回りの円偏光として出射する。ここで、図７の偏光軸制御板１８５の矢印は、この偏光軸制御板１８５を通過した偏光の回転方向を示している。第一偏光領域１８６には、例えば光学軸が水平方向である１／４波長板が用いられ、第二偏光領域１８７には、例えば光学軸が鉛直方向である１／４波長板が用いられる。
【００３０】
視差画像生成部１０１が用いられる場合には、偏光部材３２０の第一偏光領域３２１および第二偏光領域３２３には、１／４波長板と偏光板との組み合わせが配される。第一偏光領域３２１の１／４波長板と第二偏光領域３２３の１／４波長板とは、それぞれの光学軸が互いに直交する。例えば、第一偏光領域３２１には、ポリカーボネートで形成された光学軸が水平方向である１／４波長板と、透過軸方向が観察者から見て右斜め４５度の偏光板とが展示物２００に近い方からこの順に配される。また、第二偏光領域３２３には、ポリカーボネートで形成された光学軸が鉛直方向である１／４波長板と、透過軸方向が観察者から見て右斜め４５度の偏光板とが展示物２００に近い方からこの順に配される。第一偏光領域３２１の１／４波長板は、偏光軸が観察者から見て右回りの円偏光が入射したときに、その円偏光を右斜め４５度の直線偏光に変換する。また、第二偏光領域３２３の１／４波長板は、偏光軸が観察者から見て左回りの円偏光が入射したときに、その円偏光を右斜め４５度の直線偏光に変換する。
【００３１】
これにより、図２の実施形態と同様に、観察者の右目が第一偏光領域３２１を見るとともに左目が第二偏光領域３２３を見るような位置に観察者が立つことにより、第一偏光領域３２１を透過して観察者の右目に右画像が観察されるとともに、第二偏光領域３２３を透過して観察者の左目に左画像が観察される。よって、視差画像生成部１００の使用状態において、観察者は視差画像生成部１００により生成された一対の視差画像を立体的な画像として認識することができる。また、第一偏光領域３２１および第二偏光領域３２３の配置を図６に示す形態にしてもよい。さらに、１／４波長板と偏光板との組み合わせの偏光部材３２０をウインドウ３００における観察者側に取り付けることにより、ウインドウ３００表面における反射を抑えて展示物２００をより見やすくすることができる。
【００３２】
なお、視差画像生成部１００、１０１は動画を表示することができるＬＣＤであったが、これに限られない。例えば、一対の視差画像が静止画像として透明な板に描かれており、当該板が奥側から光源で照らされるとともに、板の手前側に偏光軸制御板１８０を設けて視差画像のそれぞれを対応する偏光状態で出射させてもよい。
【００３３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００３４】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００３５】
１０  展示システム、１００  視差画像生成部、１０１  視差画像生成部、１２０  光源、１５０  偏光板、１６０  画像生成部、１６２  右画像生成領域、１６４  左画像生成領域、１７０  偏光板、１８０  偏光軸制御板、１８１  第一偏光領域、１８２  第二偏光領域、１８５  偏光軸制御板、１８６  第一偏光領域、１８７  第二偏光領域、２００  展示物、２０２  画像、２０４  展示物、２０６  画像、２１０  展示台、２２０  照明部、３００  ウインドウ、３１０  ウインドウガラス、３２０  偏光部材、３２１  第一偏光領域、３２３  第二偏光領域、３４０  偏光部材、３４１  第一偏光領域、３４３  第二偏光領域
【図１】
2010266686.tif 000003
【図２】
2010266686.tif 000004
【図３】
2010266686.tif 000005
【図４】
2010266686.tif 000006
【図５】
2010266686.tif 000007
【図６】
2010266686.tif 000008
【図７】
2010266686.tif 000009